(57)【特許請求の範囲】
【請求項１】
個別の論理アドレスが割り当てられた複数の照明器具と、各々の前記照明器具に割り当てられた前記論理アドレスを用いて所望の前記照明器具を制御するコントローラとを備え、
前記コントローラは、前記照明器具の前記論理アドレスを記憶する記憶部と、前記照明器具に前記論理アドレスを要求する要求信号を含む伝送信号を送信し、前記照明器具から送信される返送信号を受信する送受信部を有し、
各々の前記照明器具は、前記要求信号を受信すると、前記返送信号として、自機に割り当てられた前記論理アドレスに基づくビット数連続して、下位のビットから上位のビットにかけてＯＮに設定したビット列を送信し、
前記コントローラは、受信した前記返送信号において、連続してビットがＯＮになっているビット数に基づいて、前記論理アドレスを取得することを特徴とする照明制御システム。
【請求項２】
前記コントローラは、前記返送信号を受信すると、当該返送信号に基づいて取得した前記論理アドレスが割り当てられた前記照明器具に対して、前記要求信号を受信しても前記返送信号の送信を行わないようにする返送禁止命令を含む伝送信号を送信することを特徴とする請求項１記載の照明制御システム。
【発明の詳細な説明】
【技術分野】
【０００１】
本発明は、照明制御システムに関するものである。
【背景技術】
【０００２】
従来より、それぞれ個別の論理アドレスを割り当てられた複数の照明器具と、複数の照明器具と伝送線を介して接続されたコントローラからなる照明制御システムがあり、タイムスケジュール、スイッチ操作、センサ入力などに応じて、コントローラが制御対象となる照明器具の論理アドレスを含む伝送信号を送信することで、その論理アドレスが割り当てられた照明器具の点灯・消灯・調光レベルの変更といった制御が行われる。
【０００３】
この種の照明制御システムにおいては、各照明器具に割り当てられた論理アドレスをコントローラに予め設定しておく必要があり、例えば、照明器具に論理アドレスを明記したシールを貼るなどして照明器具の論理アドレスを施工者が把握できるようにし、論理アドレスと施工場所との関係が図示された施工図面に基づいて施工者が照明器具を配設した後、コントローラにリモコン等を用いて各照明器具の論理アドレスを設定するといった方法が考えられる。
【０００４】
このようにすれば、各照明器具はコントローラからの伝送信号が受信できれば良いので、比較的安価なＣＰＵを用いることが可能であるが、照明器具に割り当てられた論理アドレスの管理、論理アドレスを明記したシールなどの貼り付けなどの管理コストや、施工図面の作成及び施工時論理アドレスの確認に手間がかかっていた。
【０００５】
そこで、論理アドレスをコントローラに予め設定する方法として、例えば特許文献１に記載されているように、コントローラが各照明器具に対して論理アドレスを要求する要求信号を出力し、各照明器具が要求信号に応じて自身の論理アドレスをコントローラに送信することで、コントローラに全ての照明器具の論理アドレスを設定する方法が提案されている。この方法を用いることで、施工者はコントローラのみをリモコンなどによって、論理アドレスの取得を開始させるよう操作すれば良く、施工にかかる手間が大幅に低減される。
【先行技術文献】
【特許文献】
【０００６】
【特許文献１】特開平７−４６２５８号公報
【発明の概要】
【発明が解決しようとする課題】
【０００７】
しかしながら、コントローラの要求信号に応じて全ての照明器具が一斉に論理アドレスを送信すると、通信ライン上で論理アドレスを含む信号が壊れたり、信号の波形が変形して、コントローラが誤った論理アドレスを取得するという可能性があった。
【０００８】
この問題を回避する方法として、照明器具が自機の論理アドレスをパケット方式によって伝送する方法が考えられるが、照明制御システムの規模が大きくなり、照明器具の台数大きくなると、信号の伝送にかかる時間が長くなり、論理アドレスを取得する時間が非常に長くなるという問題があった。
【０００９】
また、他の回避方法として、各照明器具にリモコン受信部を設け、リモコンからの操作信号に応じて論理アドレスを送信する方法も考えられるが、全ての照明器具にリモコン受信部を設けると製造コストが高くなるとともに、施工者が全ての照明器具に対してリモコンにより操作する必要があるため、照明制御システムの規模が大きく、照明器具の数が多くなると、施工にかかる手間が非常に大きくなってしまうという問題もあった。
【００１０】
本発明は、上記事由に鑑みて為されたものであり、その目的とするところは、論理アドレスをコントローラに設定する際の手間を低減し、短時間で論理アドレスの設定が可能な照明制御システムを提供することにある。
【課題を解決するための手段】
【００１１】
上記目的を達成するために、請求項１の発明では、個別の論理アドレスが割り当てられた複数の照明器具と、各々の前記照明器具に割り当てられた前記論理アドレスを用いて所望の前記照明器具を制御するコントローラとを備え、前記コントローラは、前記照明器具の前記論理アドレスを記憶する記憶部と、前記照明器具に前記論理アドレスを要求する要求信号を含む伝送信号を送信し、前記照明器具から送信される返送信号を受信する送受信部を有し、各々の前記照明器具は、前記要求信号を受信すると、前記返送信号として、自機に割り当てられた前記論理アドレスに基づくビット数連続して、下位のビットから上位のビットにかけてＯＮに設定したビット列を送信し、前記コントローラは、受信した前記返送信号において、連続してビットがＯＮになっているビット数に基づいて、前記論理アドレスを取得することを特徴とする。
【００１２】
請求項２の発明では、請求項１記載の発明において、前記コントローラは、前記返送信号を受信すると、当該返送信号に基づいて取得した論理アドレスが割り当てられた照明器具に対して、前記要求信号を受信しても返送信号の送信を行わないようにする返送禁止命令を含む伝送信号を送信することを特徴とする。
【発明の効果】
【００１４】
請求項１の発明によれば、照明器具が受信した要求信号に応じて、複数の返送信号が重複しても少なくとも一つの論理アドレスを復元可能なビット列からなる返送信号を送信することで、コントローラが誤った論理アドレスを取得するという可能性を低減することができる。また、コントローラからの要求信号に応じて順次照明器具が論理アドレスを返送信号として送信するので、施工者の手間を低減するとともに短時間で論理アドレスの設定が可能となる。さらに、返送信号を照明器具に割り当てられた論理アドレスに対応するビットをＨレベルとしたビット列とすることで、コントローラは受信した返送信号が示すビット列のビット値の和から論理アドレスを取得することができる。
【００１５】
請求項２の発明によれば、コントローラが返送信号より取得した論理アドレスが設定された照明器具によって、論理アドレスの再送が行われなくなり、再度返送信号が重複する可能性を低減でき、より短時間で論理アドレスの設定が可能となる。
【図面の簡単な説明】
【００１７】
【図１】本実施の形態にかかる照明制御システムの構成を示す概略ブロック図である。
【図２】同照明制御システムにおける通信信号の流れを示す概略ブロック図である。
【図３】同照明制御システムにおける返送信号に含まれるビット列を示す表であり、（ａ）は各照明器具は送信するビット列を示し、（ｂ）はコントローラが受信するビット列の例を示す。
【図４】同照明制御システムにおいて、コントローラが論理アドレスを取得する際のコントローラの動作を説明するためのフロチャート図である。
【図５】同照明制御システムの照明器具の動作を説明するためのフロチャート図である。
【発明を実施するための形態】
【００１８】
以下に本発明の実施の形態を図１〜図５に基づいて説明する。
【００１９】
本実施の形態にかかる照明制御システムは、図１に示すように、個別の論理アドレスが割り当てられた複数台の照明器具２（２ａ…２ｎ）と、各照明器具２の動作を制御するコントローラ１とが、通信線Ｌを介して接続されている。
【００２０】
コントローラ１は、コントローラ１全体の動作を統括的に制御するマイコンからなる制御部１１と、例えば揮発性のＳＲＡＭからなる記憶部１２と、通信線Ｌを介して各照明器具２との間で信号の授受を行う送受信部１３とを備える。
【００２１】
記憶部１２には、制御部１１によって、各照明器具２に割り当てられた論理アドレスが書き込まれ、制御部１１が必要に応じて論理アドレスの読み出しを行う。
【００２２】
送受信部１３は、制御部１１からの信号を変調して伝送信号として通信線Ｌに出力するとともに、通信線Ｌを介して入力される伝送信号を復調して制御部１１に出力する。ここで伝送信号は、各照明器具２に論理アドレスの返送を要求するアドレス要求命令、アドレス要求命令への応答を停止する応答停止命令、再びアドレス要求命令への応答を行う停止解除命令、各照明器具２の点灯・消灯・調光レベルの変更を行う制御命令などの各種命令と、対象となる照明器具２の論理アドレスが含まれている。
【００２３】
制御部１１は、各種命令を含む伝送信号を送受信部１３を介して、制御対象の照明器具２に送信することで、接続された照明器具２の論理アドレスの取得及び照明器具２の点灯・消灯・調光レベルの変更などの制御を行う。また、コントローラ１はリモコン及びリモコン受信部などの操作入力部（図示せず）を備えており、その操作入力に応じて、制御部１１が接続された各照明器具２に割り当てられた論理アドレスの取得を開始する。
【００２４】
照明器具２は、照明器具２全体の動作を統括的に制御するマイコンからなる制御部２１と、例えばＥＥＰＲＯＭ（Ｅｌｅｃｔｉｃａｌ  Ｅｒａｓａｂｌｅ  Ｐｒｏｇｒａｍａｎｌｅ  ＲＯＭ）などの不揮発性のメモリからなる記憶部２２と、通信線Ｌを介してコントローラ１との間で信号の授受を行う送受信部２３と、例えばＬＥＤなどからなる光源に点灯出力を行う点灯回路２４とを備える。
【００２５】
記憶部２２には、照明器具の論理アドレスが予め記憶されており、制御部２１が必要に応じて読み出しを行う。この論理アドレスは、各照明器具２ａ…２ｎの間で重複しない値に設定されている。また記憶部２２には、コントローラ１からのアドレス要求命令に応じて、自機の論理アドレスを示す返送信号の送信を行う・行わないを判断するための停止フラグが制御部２１により記憶される。
【００２６】
送受信部２３は、通信線Ｌを介して受信した伝送信号に含まれる論理アドレスが、自機の論理アドレスを対象としたものであるかを判断して、自機の論理アドレスが対象となっていれば、この伝送信号に含まれる各種命令を制御部２１に出力する。
【００２７】
制御部２１は、送受信部２３を介して入力されるコントローラ１からの各種命令に応じて、照明器具２の動作を制御する。具体的には、図５のフロチャートに示されるように、送受信部２３が伝送信号を受信し（ステップＳ２０）、伝送信号内に含まれる各種命令を制御部２１に入力すると（ステップＳ２１）、この命令がアドレス要求命令であれば（ステップＳ２１の右側）、記憶部２２に記憶された停止フラグの値をチェックし（ステップＳ２２）、停止フラグがＯＦＦであれば（ステップＳ２２のＯＦＦ）、自機に割り当てられた論理アドレスを記憶部２２から取り出して送受信部２３を介してコントローラ１に返送信号を送信する（ステップＳ２３）。また、停止フラグがＯＮであれば（ステップＳ２２のＯＮ）、返送信号の送信を行わず（ステップＳ２４）伝送信号に対する処理を終了する（ステップＳ２５）。また、伝送信号内に含まれる命令が応答停止命令であれば（ステップＳ２１の中央）、制御部２１は記憶部２２に記憶された停止フラグをＯＮに書き換え（ステップＳ２６）、処理を終了する（ステップＳ２５）。また、伝送信号内に含まれる命令が停止解除命令であれば（ステップＳ２１の右側）、制御部２１は記憶部２２に記憶された停止フラグをＯＦＦに書き換え（ステップＳ２６）、処理を終了する（ステップＳ２５）。
【００２８】
ここで、本実施の形態にかかる照明器具の初期設定として、コントローラ１が各照明器具２の論理アドレスを取得する方法について、図４のフロチャートに基づいて説明を行う。なお、以下の説明においては、コントローラ１には通信線Ｌを介して照明器具２ａ、２ｂ、２ｃ、２ｄが接続されており、各照明器具２ａ、２ｂ、２ｃ、２ｄには、論理アドレスとして「１」、「２」、「３」、「４」の数値が割り当てられているものとして説明を行う。
【００２９】
まず、コントローラ１及び各照明器具２（２ａ、２ｂ、２ｃ、２ｄ）を施工後、使用者はリモコン（図示せず）などを用いて、コントローラ１が各照明器具２の論理アドレスの取得を開始するための制御信号をコントローラ１に送信する。コントローラ１の制御部１１は、上述の制御信号に応じて（ステップＳ１０）全ての照明器具２を対象として停止解除命令を含む伝送信号を送信する（ステップＳ１１）。停止解除命令を含む伝送信号を受信した各照明器具２は、上述のように制御部２１が記憶部２２の停止フラグをＯＦＦに設定する。
【００３０】
次に、コントローラ１の制御部１１は、全ての照明器具２を対象としてアドレス要求命令を含む伝送信号を送信し（ステップＳ１２）、例えば１秒程度の待機時間経過後（ステップＳ１３）、返送信号を受信したかを確認する（ステップＳ１４）。この待機時間が経過するまでの間に、返送信号を受信していた場合には（ステップＳ１４のＹｅｓ）、制御部１１は、後述の方法によって返送信号から論理アドレスを取得し（ステップＳ１５）、記憶部１２に取得した論理アドレスを記憶させ（ステップＳ１６）、ステップＳ１５で取得した論理アドレスが割り当てられた照明器具２に対して、停止命令を含む伝送信号を送信する（ステップＳ１７）。
【００３１】
ここで、本実施の形態においては、各照明器具２（２ａ、２ｂ、２ｃ、２ｄ）の返送信号は、図３（ａ）に示すように、下位ビットから自機の論理アドレスを示す数値分だけビットを連続してＯＮ状態にしたビット列であり、例えば照明器具２ｄは、Ｄ１〜Ｄ４を１、Ｄ０及びＤ５〜Ｄ７を０となる８ビットのビット列を返送信号として送信する。この時、各照明器具２が送信した返送信号は、略同じタイミングで送信されると予想されるので、コントローラ１が受信する受信信号は、照明器具２ａ〜２ｄの４台の返信信号が重なり、図３（ｂ）に示すような返送信号を受信する場合がある。この返送信号は、照明器具２ｄが送信した返送信号のビット列と同じであり、下位のビットから４ビットが連続して１となっているので、制御部１１は論理アドレスが「４」である照明器具２が接続されていることを検知して、ステップＳ１６において「４」を記憶部２２に記憶させるとともに、ステップＳ１７において論理アドレスとして「４」が割り当てられた照明器具２（２ｄ）に対して停止命令を含む伝送信号を送信する。
【００３２】
その後、コントローラ１の制御部１１は、再度、全ての照明器具２を対象としてアドレス要求命令を含む伝送信号を送信する（ステップＳ１２）。ここで、ステップＳ１７で停止命令を送信した対象の照明器具２（上記の場合には照明器具２ｄ）は、上述のように記憶部２２の停止フラグをＯＮに設定するので、アドレス要求命令を含む伝送信号を受信しても返送信号を送信しない。これにより、コントローラ１は、返送信号が重なった場合であっても、前回とは異なる論理アドレス（例えば「３」）を受信することとなり（ステップＳ１３〜Ｓ１５）、記憶部１２に論理アドレスを記憶させるとともに（ステップＳ１６）、停止命令を含む伝送信号を送信する（ステップＳ１７）。
【００３３】
このように、コントローラ１がステップＳ１２〜Ｓ１７までの動作を、ステップＳ１４において返送信号を受信しなくなるまで繰り返し行うことで、接続された全ての照明器具２の論理アドレスはコントローラ１の記憶部１２に記憶される。またこの時、全ての照明器具２の記憶部２２の停止フラグは、ＯＮ状態に設定されることとなるので、以降は取得した論理アドレスを用いて、照明器具２の制御を行うことができる。
【００３４】
このようにして、使用者はコントローラ１のみをリモコンなどで操作するだけでよく、論理アドレスをコントローラに設定する際の手間が低減されるとともに、照明器具２が送信する返送信号は単純な形式でよいので、短時間で論理アドレスの設定が完了する。
本実施形態の照明器具は、個別の論理アドレスが割り当てられた複数の照明器具と、各照明器具に割り当てられた論理アドレスを用いて所望の照明器具を制御するコントローラとを備え、前記コントローラは、前記照明器具の論理アドレスを記憶する記憶部と、前記照明器具に論理アドレスを要求する要求信号を含む伝送信号を送信し、前記照明器具から送信される返送信号を受信する送受信部を有し、前記各照明器具は、前記要求信号を受信すると、自機の論理アドレスを、複数の返送信号が重複しても少なくとも一つの前記論理アドレスを復元可能なビット列からなる返送信号に変換して、当該返送信号を送信することを特徴とする。本構成によれば、照明器具が受信した要求信号に応じて、複数の返送信号が重複しても少なくとも一つの論理アドレスを復元可能なビット列からなる返送信号を送信することで、コントローラが誤った論理アドレスを取得するという可能性を低減することができる。また、コントローラからの要求信号に応じて順次照明器具が論理アドレスを返送信号として送信するので、施工者の手間を低減するとともに短時間で論理アドレスの設定が可能となる。
【符号の説明】
【００３５】
１          コントローラ
１１        制御部
１２        記憶部
１３        送受信部
２          照明器具
２１        制御部
２２        記憶部
２３        送受信部
２４        点灯回路
Ｌ          通信線
【図１】
0005457804.tif 000002
【図２】
0005457804.tif 000003
【図３】
0005457804.tif 000004
【図４】
0005457804.tif 000005
【図５】
0005457804.tif 000006